(57)【要約】  基地局（ＢＳ）からユーザ装置（ＵＥ）へ非周期的信号を送信する方法は、前記非周期的信号の送信のために予約された第１のリソースを示す予約情報を、上位レイヤシグナリングを介してＢＳからＵＥに送信するステップと、前記第１のリソースに基づいて選択される第２のリソースを少なくとも示す下り制御情報（ＤＣＩ）を前記ＢＳから前記ＵＥに送信するステップと、前記第１のリソースを用いて、前記非周期的信号を前記ＢＳから前記ＵＥに送信するステップと、を含むことを特徴とする。
2019516291.tif 000002
【特許請求の範囲】
【請求項１】
基地局（ＢＳ）からユーザ装置（ＵＥ）へ非周期的信号を送信する方法であって、
前記非周期的信号の送信のために予約された第１のリソースを示す予約情報を、上位レイヤシグナリングを介してＢＳからＵＥに送信するステップと、
前記第１のリソースに基づいて選択される第２のリソースを少なくとも示す下り制御情報（ＤＣＩ）を前記ＢＳから前記ＵＥに送信するステップと、
前記第１のリソースを用いて、前記非周期的信号を前記ＢＳから前記ＵＥに送信するステップと、を含むことを特徴とする方法。
【請求項２】
前記非周期的信号は、非周期的ゼロパワー（ＺＰ）チャネル状態情報参照信号（ＣＳＩ‐ＲＳ）であることを特徴とする請求項１に記載の方法。
【請求項３】
前記非周期的信号は、非周期的干渉測定リソース（ＩＭＲ）であることを特徴とする請求項１に記載の方法。
【請求項４】
前記ＵＥにおいて、前記ＤＣＩに基づく前記第１のリソースに基づいて前記第２のリソースを選択するステップと、
前記ＵＥにおいて、前記第２のリソースを用いて前記ＢＳから送信された前記非周期的信号を受信するステップと、を更に含むことを特徴とする請求項１に記載の方法。
【請求項５】
前期ＵＥが前記ＤＣＩを受信した場合、前記ＵＥにおいて、前記第２のリソースを用いて前記ＢＳから送信された前記非周期的信号のレートマッチングを行うステップと、
前記ＵＥにおいて、前期第２のリソースを用いて送信された前記非周期的信号を受信するステップと、を更に含むことを特徴とする請求項１に記載の方法。
【請求項６】
前記ＢＳにおいて、前記非周期的信号の送信用のアンテナポートにマッピングされたリソースエレメントを示す１つ又は複数の所定のＣＳＩ‐ＲＳ構成を用いて前期第１のリソースを予約するステップを更に含むことを特徴とする請求項１に記載の方法。
【請求項７】
前記ＢＳにおいて、前記非周期的信号の送信用のアンテナポートを示す情報を含む復調用参照信号（ＤＭ‐ＲＳ）構成を用いて前記第１のリソースを予約するステップを更に含むことを特徴とする請求項１に記載の方法。
【請求項８】
前記第１のリソースの各々はサブフレーム毎に予約されることを特徴とする請求項１に記載の方法。
【請求項９】
前記第１のリソースの各々は、ＣＳＩ‐ＲＳ送信の間隔及び前記ＣＳＩ‐ＲＳの送信のタイミングオフセットを示すＣＳＩ‐ＲＳ  ｓｕｂｆｒａｍｅ＿ｃｏｎｆｉｇを参照することなく予約されることを特徴とする請求項１に記載の方法。
【請求項１０】
前記第１のリソースは、ＣＳＩ‐Ｐｒｏｃｅｓｓ、ＣＳＩ‐ＲＳ‐Ｃｏｎｆｉｇ、ＣＳＩ‐ＲＳ‐ＣｏｎｆｉｇＮＺＰ、ＣＳＩ‐ＲＳ‐ＣｏｎｆｉｇＺＰ又はＣＳＩ‐ＲＳ‐ＩｄｅｎｔｉｔｙＮＺＰとして設定された情報を用いて予約されることを特徴とする請求項１に記載の方法。
【請求項１１】
前記ＤＣＩはＵＬ（ｕｐｌｉｎｋ）グラントに含まれることを特徴とする請求項１に記載の方法。
【請求項１２】
前記ＤＣＩは、非周期的ＺＰ  ＣＳＩ‐ＲＳを送信するか否かを示す情報を含むことを特徴とする請求項１に記載の方法。
【請求項１３】
前記非周期的信号及び前記ＤＣＩの各々は同一サブフレーム内で多重されることを特徴とする請求項１に記載の方法。
【請求項１４】
前記ＵＥにおいて、非周期ＩＭＲに対するＣＳＩ報告を前記ＤＣＩの受信タイミングに基づいて行うステップを更に含むことを特徴とする請求項３に記載の方法。
【請求項１５】
前記非周期ＩＭＲを、異なるサブフレーム間で平均化することが可能か否かを示すＵＥ推定情報を前記ＢＳから前記ＵＥに送信するステップと、
前記ＵＥにおいて、前期非周期ＩＭＲを平均化することが可能か否かを前記ＵＥ推定情報に基づいて推定するステップを更に含むことを特徴とする請求項３に記載の方法。
【請求項１６】
前記上位レイヤシグナリングは無線リソース制御（ＲＲＣ）シグナリングであることを特徴とする請求項１に記載の方法。
【請求項１７】
上位レイヤシグナリングを介して、非周期信号の送信のために予約された第１のリソースを示す予約情報と、
前記第１のリソースに基づいて選択された第２のリソースを少なくとも示す下り制御情報（ＤＣＩ）と、
前記第１のリソースを用いる非周期的信号と、をユーザ装置（ＵＥ）に送信するトランスミッタを有することを特徴とする基地局（ＢＳ）。
【請求項１８】
前記非周期的信号は、非周期的ゼロパワー（ＺＰ）チャネル状態情報参照信号（ＣＳＩ‐ＲＳ）又は非周期的干渉測定リソース（ＩＭＲ）であることを特徴とする請求項１６に記載の基地局。
【請求項１９】
上位レイヤシグナリングを介して、非周期信号の送信のために予約された第１のリソースを示す予約情報と、
前記第１のリソースに基づいて選択された第２のリソースを少なくとも示す下り制御情報（ＤＣＩ）と、を基地局（ＢＳ）から受信するレシーバと、
前記ＤＣＩに基づく前記第１のリソースに基づいて前記第２のリソースを選択するプロセッサと、を有し、
前記レシーバは、前期第２のリソースを用いて前記ＢＳから送信された前記非周期的信号を受信することを特徴とするユーザ装置（ＵＥ）。
【請求項２０】
前記非周期的信号は、非周期的ゼロパワー（ＺＰ）チャネル状態情報参照信号（ＣＳＩ‐ＲＳ）又は非周期的干渉測定リソース（ＩＭＲ）であることを特徴とする請求項１９に記載の基地局。
【発明の詳細な説明】
【技術分野】
【０００１】
本発明は、基地局（ＢＳ）及びユーザ装置（ＵＥ）を含む無線通信システムにおける非周期信号を送信する方法全般に関し、より具体的には、非周期的ゼロパワーチャネル状態情報参照信号（ＺＰ  ＣＳＩ‐ＲＳ）送信及び非周期的干渉測定リソース（ＩＭＲ）送信の方法に関する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ）において、ＬＴＥ（Ｌｏｎｇ  Ｔｅｒｍ  Ｅｖｏｌｕｔｉｏｎ）Ｒｅｌ．１３（Ｒｅｌｅａｓｅ  １３）の下で３次元（３Ｄ）多入力多出力（ＭＩＭＯ（Ｍｕｌｔｉｐｌｅ  Ｉｎｐｕｔ  Ｍｕｌｔｉｐｌｅ  Ｏｕｔｐｕｔ））技術の検討が進められている。３Ｄ  ＭＩＭＯ技術は、アンテナ素子が垂直及び水平二次元（２Ｄ）平面又は３Ｄ空間のいずれかに配置される３Ｄ  ＭＩＭＯアンテナを用いて、３Ｄで送信ビーム制御を行うことができる。
【０００３】
３ＧＰＰ規格では、３Ｄ  ＭＩＭＯは、アンテナポート数に応じて垂直ビームフォーミング（ＢＦ）又は全次元（ＦＤ）ＭＩＭＯに分類される。８個以下のアンテナポートを用いる３Ｄ  ＭＩＭＯは、垂直ビームフォーミングとして分類することができ、８個より多いアンテナポートを用いる３Ｄ  ＭＩＭＯは、ＦＤ−ＭＩＭＯとして分類することができる。ＦＤ−ＭＩＭＯは大規模ＭＩＭＯとも呼ばれ、ＮＲ（Ｎｅｗ  Ｒａｄｉｏ）システム（５Ｇ（５ｔｈ  ｇｅｎｅｒａｔｉｏｎ））の主要技術として検討されている。
【０００４】
大規模ＭＩＭＯ技術では、チャネル状態情報（ＣＳＩ）を取得するためのチャネル状態情報参照信号（ＣＳＩ‐ＲＳ）を用いて、ＣＳＩ‐ＲＳカバレッジを確保することができる。しかしながら、セル全体をカバーするためにＣＳＩ‐ＲＳ送信を用いることは、ＣＳＩ‐ＲＳオーバーヘッドの増加に繋がる可能性がある。このようなオーバーヘッドを抑えるために、ＣＳＩ‐ＲＳは、アクティブなユーザ装置（ＵＥ）にのみ送信してもよい（ＵＥ固有のＣＳＩ‐ＲＳ）。
【０００５】
一方、従来のＬＴＥシステム（例えば、Ｒｅｌ．１０、１１、及び１２）においては、ＣＳＩ‐ＲＳは周期的に（例えば、５ｍｓごとに）送信され、通常は、単一セル内のＵＥ間で共有される。図１は、ＬＴＥ  Ｒｅｌ．１２及び１３のサブフレーム構成をそれぞれ示す図である。ＬＴＥ  Ｒｅｌ．１２では、各ＵＥは、上位レイヤにより設定されるＣＳＩ‐ＲＳ情報を考慮して、ＣＳＩ‐ＲＳ及びＰＤＳＣＨ（データ）を受信することができる。より具体的には、ＰＤＳＣＨは、ＣＳＩ‐ＲＳが特定のサブフレームに多重されているか否かを考慮して、ＵＥにおいて復号される。Ｒｅｌ．１３では、図１に示すように、ＣＳＩ‐ＲＳは、非周期的（非周期的ＣＳＩ‐ＲＳ又は非周期的ノンゼロパワー（ＮＺＰ）ＣＳＩ‐ＲＳ）に送信され得る。非周期的ＣＳＩ‐ＲＳは、３ＧＰＰにおけるＣＳＩ‐ＲＳオーバーヘッドを低減するために必要に応じて送信される。非周期的ＣＳＩ‐ＲＳ送信が適用される、ＵＥ固有のＣＳＩ‐ＲＳは、ＣＳＩ‐ＲＳのオーバーヘッドを効果的に低減できる可能性がある。
【先行技術文献】
【非特許文献】
【０００６】
【非特許文献１】３ＧＰＰ  ＴＳ３６．２１１Ｖ１２．６．０
【非特許文献２】３ＧＰＰ  ＴＳ３６．２１３Ｖ１２．５．０
【発明の概要】
【発明が解決しようとする課題】
【０００７】
しかしながら、従来のＬＴＥ規格では、ＮＺＰ  ＣＳＩ‐ＲＳ送信方式に加えて、非周期的ゼロパワー（ＺＰ）ＣＳＩ‐ＲＳ送信及び非周期的干渉測定リソース（ＩＭＲ）送信方式が規定されていない。例えば、ＵＥは、非周期的ＺＰ  ＣＳＩ‐ＲＳ又は非周期的ＩＭＲが多重されたリソースを判別することができない。この結果、ＵＥはレートマッチング処理を行わないため、データ送信品質に悪影響を与える。
【課題を解決するための手段】
【０００８】
本発明の１つ又は複数の実施形態に係る、基地局（ＢＳ）からユーザ装置（ＵＥ）へ非周期的信号を送信する方法は、前記非周期的信号の送信のために予約された第１のリソースを示す予約情報を、上位レイヤシグナリングを介してＢＳからＵＥに送信するステップと、前記第１のリソースに基づいて選択される第２のリソースを少なくとも示す下り制御情報（ＤＣＩ）を前記ＢＳから前記ＵＥに送信するステップと、前記第１のリソースを用いる前記非周期的信号を前記ＢＳから前記ＵＥに送信するステップと、を含むことを特徴とする。
【０００９】
本発明の１つ又は複数の実施形態に係る非周期的信号を送信する方法において、前記非周期的信号は、非周期的ゼロパワー（ＺＰ）チャネル状態情報参照信号（ＣＳＩ‐ＲＳ）であることを特徴とする。
【００１０】
本発明の１つ又は複数の実施形態に係る非周期的信号を送信する方法において、前記非周期的信号は、非周期的干渉測定リソース（ＩＭＲ）であることを特徴とする。
【００１１】
本発明の１つ又は複数の実施形態に係る基地局（ＢＳ）は、上位レイヤシグナリングを介して、非周期信号の送信のために予約された第１のリソースを示す予約情報と、前記第１のリソースに基づいて選択された第２のリソースを少なくとも示す下り制御情報（ＤＣＩ）と、前記第１のリソースを用いる非周期的信号と、をユーザ装置（ＵＥ）に送信するトランスミッタを有することを特徴とする。
【００１２】
本発明の１つ又は複数の実施形態に係るＵＥは、上位レイヤシグナリングを介して、非周期信号の送信のために予約された第１のリソースを示す予約情報と、前記第１のリソースに基づいて選択された第２のリソースを少なくとも示す下り制御情報（ＤＣＩ）と、を基地局（ＢＳ）から受信するレシーバと、前記ＤＣＩに基づく前記第１のリソースに基づいて前記第２のリソースを選択するプロセッサと、を有することを特徴とする。前記レシーバは、前期第２のリソースを用いて前記ＢＳから送信された前記非周期的信号を受信することを特徴とする。
【発明の効果】
【００１３】
本発明の１つ又は複数の実施形態は、ＢＳ及びＵＥに非周期的信号を適切に送受信させることのでできる方法を提供する。
【図面の簡単な説明】
【００１４】
【図１】ＬＴＥ  Ｒｅｌ．１２及び１３のサブフレーム構成をそれぞれ示す図である。
【図２】本発明の１つ又は複数の実施形態に係る、リソースブロック（ＲＢ）内のＣＳＩ‐ＲＳ用アンテナポートに割り当てられたリソースエレメント（ＲＥ）を示す図である。
【図３Ａ】本発明の１つ又は複数の実施形態に係る、ＣＳＩ‐ＲＳ構成から通常サイクリックプリフィックス用のＲＥへのマッピングを示す図である。
【図３Ｂ】本発明の１つ又は複数の実施形態に係る、ＣＳＩ‐ＲＳ構成から拡張サイクリックプリフィックス用のＲＥへのマッピングを示す図である。
【図４】本発明の１つ又は複数の実施形態に係るＣＳＩ‐ＲＳサブフレーム構成を示す図である。
【図５】本発明の１つ又は複数の実施形態に係る無線通信システムの構成を示す図である。
【図６】本発明の第１の態様の１つ又は複数の実施形態に係る非周期的ＣＳＩ‐ＲＳ送信を示すシーケンス図である。
【図７】本発明の第１の態様の１つ又は複数の実施形態に係る非周期的ＣＳＩ‐ＲＳ送信を示すシーケンス図である。
【図８】本発明の第１の態様の他の例の１つ又は複数の実施形態に係るＣＳＩ‐ＲＳサブフレーム構成を示す図である。
【図９】本発明の第１の態様の１つ又は複数の実施形態に係るＣＳＩ‐ＲＳ構成及びＣＳＩ‐ＲＳサブフレーム構成を示す図である。
【図１０】本発明の第１の態様の１つ又は複数の実施形態に係るＣＳＩ‐ＲＳ構成及びＣＳＩ‐ＲＳサブフレーム構成を示す図である。
【図１１】本発明の第１の態様の他の例の１つ又は複数の実施形態に係る非周期的ＣＳＩ‐ＲＳ送信を示すシーケンス図である。
【図１２】本発明の第２の態様の１つ又は複数の実施形態に係る非周期的ＣＳＩ‐ＲＳ送信を示すシーケンス図である。
【図１３Ａ】本発明の第３の態様の１つ又は複数の実施形態に係る非周期的ＣＳＩ‐ＲＳ送信を示す図である。
【図１３Ｂ】本発明の第３の態様の１つ又は複数の実施形態に係るＣＳＩ‐ＲＳサブフレーム構成を示す図である。
【図１４】本発明の第４の態様の１つ又は複数の実施形態に係る非周期的ＣＳＩ‐ＲＳ送信を示す図である。
【図１５】本発明の第５の態様の１つ又は複数の実施形態に係るＣＳＩ計算方式を示すテーブルである。
【図１６】本発明の第６の態様の１つ又は複数の実施形態に係る、周期的／非周期的ＣＳＩ‐ＲＳ送信に基づくＣＳＩ報告方式を示すテーブルである。
【図１７】従来のＬＴＥ規格の手順に従う、非周期的ＣＳＩ‐ＲＳ送信に基づくＣＳＩ報告を説明する図である。
【図１８Ａ】本発明の第７の態様の１つ又は複数の実施形態に係る、非周期的ＣＳＩ‐ＲＳ送信に基づくＣＳＩ報告を説明する図である。
【図１８Ｂ】本発明の第７の態様の他の例の１つ又は複数の実施形態に係る、非周期的ＣＳＩ‐ＲＳ送信に基づくＣＳＩ報告を説明する図である。
【図１８Ｃ】本発明の第７の態様の他の例の１つ又は複数の実施形態に係る、非周期的ＣＳＩ‐ＲＳ送信に基づくＣＳＩ報告を説明する図である。
【図１８Ｄ】本発明の第７の態様の他の例の１つ又は複数の実施形態に係る、非周期的ＣＳＩ‐ＲＳ送信に基づくＣＳＩ報告を説明する図である。
【図１９】本発明の１つ又は複数の実施形態に係る基地局を示す機能ブロック図である。
【図２０】本発明の１つ又は複数の実施形態に係るＵＥの一例を示す構成図である。
【発明を実施するための形態】
【００１５】
以下、本発明の実施形態について添付図面を参照して詳細に説明する。本発明の実施形態では、本発明のより完全な理解のために、具体的な詳細が多く規定される。しかしながら、当業者においては、これらの具体的な詳細なしに本発明の実施が可能であることは明らかである。他の例では、本発明を不明瞭にすることを避けるために、周知の特徴は詳細には説明しない。
【００１６】
本発明の1つ又は複数の実施形態に係る、基地局（ＢＳ）からユーザ装置（ＵＥ）に送信されるチャネル状態情報参照信号（ＣＳＩ‐ＲＳ）について、図２、図３Ａ、図３Ｂ及び図４を参照して以下に説明する。
【００１７】
図２は、本発明の１つ又は複数の実施形態において、通常サイクリックプリフィックス及び拡張サイクリックプリフィックス用のリソースブロック（ＲＢ）内でＣＳＩ‐ＲＳ送信用アンテナポート（ＣＳＩ‐ＲＳ用アンテナポート）に割り当てられるリソースエレメント（ＲＥ）を示す図である。図２に示すように、一方の軸は直交周波数分割多重（ＯＦＤＭ）シンボルを表し、他方の軸はサブキャリアを表す。各ブロックはＲＢ内のＲＥに対応し、複数のアンテナポートを備える格子状のＲＥはＣＳＩ‐ＲＳ用アンテナポートに割り当てられる。更に、図２に示すように、ＢＳがＣＳＩ‐ＲＳ用アンテナポートを２つ指定する場合、２個のＲＥがＣＳＩ‐ＲＳ用アンテナポートに割り当てられる。また、ＢＳがＣＳＩ‐ＲＳ用アンテナポートを４つ指定する場合、４個のＲＥがＣＳＩ‐ＲＳ用アンテナポートに割り当てられ、ＢＳがＣＳＩ‐ＲＳ用アンテナポートを８個指定する場合、８個のＲＥがＣＳＩ‐ＲＳ用アンテナポートに割り当てられる。
【００１８】
図３Ａ及び図３Ｂは、本発明の１つ又は複数の実施形態に係る、それぞれ通常サイクリックプリフィックス及び拡張サイクリックプリフィックス用であるＲＥへのＣＳＩ‐ＲＳ構成からのマッピングを示す。図３Ａ及び図３Ｂに示すテーブル（ＣＳＩ‐ＲＳ構成）は、ＲＢ内のＲＥへのＣＳＩ‐ＲＳのマッピングをＵＥに報告するのに用いられる。図３Ａ及び図３Ｂのテーブル（ＣＳＩ‐ＲＳ構成）は、３ＧＰＰ  ＴＳ３６．２１１のテーブル６．１０．５．２−１及び６．１０．５．２−１にそれぞれ規定されている。
【００１９】
例えば、図２は、通常サイクリックプリフィックス用の２個のＣＳＩ‐ＲＳ用アンテナポートをマッピングする場合における、当該ＣＳＩ‐ＲＳ用アンテナポートに割り当てられる２０組のＲＥを示す。図３Ａは、ＣＳＩ‐ＲＳ構成のインデックス０〜１９を含むフレーム構成タイプ１及び２に対応するテーブルを示す（マッピング情報）。ＢＳは、図３ＡのＣＳＩ‐ＲＳ構成のインデックス０〜１９の１つをＵＥに送信して、図２のＣＳＩ‐ＲＳ用アンテナポートに割り当てられた２０組のＲＥのどれを使用するかを通知する。
【００２０】
図４は、本発明の１つ又は複数の実施形態に係るＣＳＩ‐ＲＳサブフレーム構成を示す。図４に示すテーブル（ＣＳＩ‐ＲＳサブフレーム構成）は、ＣＳＩ‐ＲＳ送信周期（周期的ＣＳＩ‐ＲＳ）及びＣＳＩ‐ＲＳサブフレームオフセットをＵＥに通知するのに用いられる。ＣＳＩ‐ＲＳサブフレームオフセットによって初期サブフレームインデックスが定義される。図４のテーブル（ＣＳＩ‐ＲＳサブフレーム構成）は、３ＧＰＰ  ＴＳ３６．２１１のテーブル６．１０．５．３−１に規定されている。
【００２１】
ＢＳは、図３Ａ及び図３Ｂのテーブル（ＣＳＩ‐ＲＳ構成）で指定されたＣＳＩ‐ＲＳをサブフレームに多重し、多重されたＣＳＩ‐ＲＳを、ＣＳＩ‐ＲＳ送信周期（例えば、５、１０、２０、４０又は８０）でＵＥに送信する。ＢＳは、図４のＣＳＩ‐ＲＳサブフレーム構成ＩＣＳＩ‐ＲＳ（ＣＳＩ‐ＲＳサブフレーム構成）のインデックス０〜１５４の１つをＵＥに送信して、初期サブフレームインデックスを定義するＣＳＩ‐ＲＳ送信周期及びＣＳＩ‐ＲＳサブフレームオフセットを通知する。
【００２２】
現在のＬＴＥ規格（例えば、ＬＴＥ  Ｒｅｌ．１２）では非周期的ノンゼロパワー（ＮＺＰ）ＣＳＩ‐ＲＳ、非周期的ゼロパワーＣＳＩ‐ＲＳ（ＺＰ  ＣＳＩ‐ＲＳ）及び非周期的干渉測定リソース（ＩＭＲ）を送受信する方法は規定されていないが、本発明の実施形態は、非周期的ＮＺＰ  ＣＳＩ‐ＲＳ、非周期的ＺＰ  ＣＳＩ‐ＲＳ及び非周期的ＩＭＲを送受信する方法を提供する。本発明の１つ又は複数の実施形態において、非周期的ＣＳＩ‐ＲＳの送信方式の動作例は、非周期的ＮＺＰ  ＣＳＩ‐ＲＳの送信だけでなく、非周期的ＺＰ  ＣＳＩ‐ＲＳの送信方式及びＩＭＲの送信方式にも適用し得る。本発明の実施形態の一例として、ＣＳＩ‐ＲＳ送信を適用する無線通信システムを説明する。無線通信システムは、本明細書において説明する特定の構成に限定されず、ＣＳＩ‐ＲＳ送信を適用する任意のタイプの無線通信システムであってよい。本発明の１つ又は複数の実施形態では、非周期的ＮＺＰ  ＣＳＩ‐ＲＳをビームフォーミングすることができる。
【００２３】
（システム構成）
以下、図５を参照して、本発明の１つ又は複数の実施形態に係る無線通信システム１について説明する。
【００２４】
図５に示すように、無線通信システム１は、ＵＥ１０（ＵＥ１０Ａ及びＵＥ１０Ｂ）と、ＢＳ２０とを備える。無線通信システム１は、ＬＴＥ規格に準拠するＭＩＭＯシステムである。例えば、無線通信システム１は、Ｎｅｗ  Ｒａｄｉｏシステムであってもよいし、ＬＴＥ／ＬＴＥ−Ａｄｖａｎｃｅｄ（ＬＴＥ−Ａ）システムであってもよい。無線通信システム１は、複数のアンテナポートを用いる（２Ｄ又は３Ｄ）ＭＩＭＯ通信に対応する任意の無線通信システムであってもよい。
【００２５】
ＢＳ２０は、ＭＩＭＯ技術を用いて、複数のアンテナポートを介してＵＥ１０と通信を行う。ＢＳ２０は、ｇＮｏｄｅＢ（ｇＮＢ）であってもよいし、eｖｏｌｖｅｄ  ＮｏｄｅＢ（ｅＮＢ）であってもよい。ＢＳ２０は、ＢＳ２０が備える、２Ｄ平面アンテナ又は３Ｄアンテナなどの多次元アンテナの複数のアンテナポートを介してＵＥ１０と無線通信を行う。ＢＳ２０は、アクセスゲートウェイ装置を介してコアネットワークに接続された上位ノードやサーバなどのネットワーク機器から下りパケットを受信し、複数のアンテナポートを介してＵＥ１０に下りパケットを送信する。ＢＳ２０は、ＵＥ１０から上りパケットを受信し、複数のアンテナポートを介して上りパケットをネットワーク機器に送信する。
【００２６】
ＢＳ２０は、ＵＥ１０と無線信号をやり取りするための３Ｄ  ＭＩＭＯ用アンテナと、隣接するＢＳ２０と通信を行うための通信インタフェース（例えば、Ｘ２インタフェース）と、コアネットワークと通信を行うための通信インタフェース（例えば、Ｓ１インタフェース）と、ＵＥ１０との送受信信号を処理するプロセッサや回路などのＣＰＵ（Ｃｅｎｔｒａｌ  Ｐｒｏｃｅｓｓｉｎｇ  Ｕｎｉｔ）と、を備える。以下に説明するＢＳ２０の機能及び処理は、メモリに格納されたデータ及びプログラムを処理又は実行するプロセッサによって実現してもよい。しかしながら、ＢＳ２０は、上述したハードウェア構成に限定されず、任意の適切なハードウェア構成を含むこともできる。通常、無線通信システム１がより広いサービスエリアをカバーすることができるように、複数のＢＳ２０が配置される。
【００２７】
ＢＳ２０は、非周期的ＣＳＩ‐ＲＳ（例えば、非周期的ＮＺＰ  ＣＳＩ‐ＲＳ、非周期的ＺＰ  ＣＳＩ‐ＲＳ、及び非周期的ＩＭＲ）を送信してもよい。ＢＳは、非周期的ＣＳＩ‐ＲＳ送信に加えて、５、１０、２０、４０、又は８０ｍｓごとに周期的にＣＳＩ‐ＲＳを送信してもよい。
【００２８】
ＵＥ１０は、３Ｄ  ＭＩＭＯ技術を用いて基地局２０と通信を行う。ＵＥ１０は、ＵＥ１０の１つ又は複数のアンテナポートを介して、基地局２０とＵＥ１０との間でデータ信号及び制御信号などの無線信号を送受信する。ＵＥ１０は、移動局、スマートフォン、携帯電話、タブレット、モバイルルータなどでもよいし、ウェアラブル機器など無線通信機能を有する情報処理装置でもよい。
【００２９】
ＵＥ１０は、プロセッサなどのＣＰＵ、ＲＡＭ（Ｒａｎｄｏｍ  Ａｃｃｅｓｓ  Ｍｅｍｏｒｙ）、フラッシュメモリ及び無線通信装置を備え、ＢＳ２０とＵＥ１０との間で無線信号を送受信する。例えば、以下に説明するＵＥ１０の機能及び処理は、ＣＰＵ処理、又はメモリに格納されたデータ及びプログラムを実行することによって実現してもよい。ただし、ＵＥ１０は、上述したハードウェア構成に限定されるものではなく、例えば、以下の処理を実現する回路によって構成されてもよい。
【００３０】
（第１の態様）
本発明の第１の態様の１つ又は複数の実施形態によれば、ＢＳ２０は、非周期的ＣＳＩ‐ＲＳ（非周期的ＮＺＰ  ＣＳＩ‐ＲＳ、非周期的ＺＰ  ＣＳＩ‐ＲＳ、又は非周期的ＩＭＲ）を送信するリソース（第１のリソース）を準静的に予約することができる。非周期的ＣＳＩ‐ＲＳ送信のためのリソースは、非周期的ＣＳＩ‐ＲＳ送信用のアンテナポートにマッピングされるリソース（ＲＥ）である。
【００３１】
（ＣＳＩ‐ＲＳサブフレーム構成１）
図６は、本発明の第１の態様の１つ又は複数の実施形態に係るＣＳＩ‐ＲＳ送信を示すシーケンス図である。図６に示すように、ＢＳ２０は、所定のＣＳＩ‐ＲＳ構成に基づいて、非周期的ＣＳＩ‐ＲＳ（例えば、非周期的ＮＺＰ  ＣＳＩ‐ＲＳ、非周期的ＺＰ  ＣＳＩ‐ＲＳ、又は非周期的ＩＭＲ）を送信するリソースを予約することができる（ステップＳ１１）。所定のＣＳＩ‐ＲＳ構成は、３ＧＰＰ  ＴＳ３６．２１１のテーブル６．１０．５．３−１に示されるＣＳＩ‐ＲＳ構成としてもよい。例えば、ＢＳ２０は、３ＧＰＰ  ＴＳ３６．２１１のテーブル６．１０．５．３−１に示されるＣＳＩ‐ＲＳ構成に基づいて、ＣＳＩ‐ＲＳ構成のインデックスを指定してもよい。例えば、非周期的ＣＳＩ‐ＲＳのリソースは、サブフレーム毎に予約してもよい。例えば、ＢＳ２０は、ＣＳＩ‐ＲＳサブフレーム構成ＩＣＳＩ‐ＲＳ（ＣＳＩ‐ＲＳサブフレーム構成又はサブフレーム構成ＩＤ）を参照することなく非周期的ＣＳＩ‐ＲＳのリソースを予約することができる。他の例では、例えば、ＢＳ２０は、従来の同期信号（ＳＳ）／参照信号（ＲＳ）構成を用いて非周期的ＣＳＩ‐ＲＳ送信のリソースを予約することができる。例えば、アンテナポート数、レイヤ数、スクランブリング、符号分割多重（ＣＤＭ）、及び／又は非周期的ＣＳＩ‐ＲＳ送信の時間／周波数位置などを示す情報を含む復調用参照信号（ＤＭ‐ＲＳ：ＤｅＭｏｄｕｌａｔｉｏｎ−Ｒｅｆｅｒｅｎｃｅ  Ｓｉｇｎａｌ）構成を用いて、リソースを予約することができる。他の例では、例えば、ＢＳ２０は、時間／周波数リソースのグループ（例えば、新たに規定されたＲＥ）を用いて、非周期的ＣＳＩ‐ＲＳ送信のリソースを予約することができる。
【００３２】
ＢＳ２０は、予約したリソースを示す予約情報を、無線リソース制御（ＲＲＣ）シグナリングなどの上位レイヤシグナリングを介してＵＥ１０に送信してもよい（ステップＳ１２）。
【００３３】
ＢＳ２０は、非周期的ＣＳＩ‐ＲＳ（例えば、非周期的ＮＺＰ  ＣＳＩ‐ＲＳ、非周期的ＺＰ  ＣＳＩ‐ＲＳ又は非周期的ＩＭＲ）をＵＥ１０に送信してもよい（ステップＳ１３）。
【００３４】
例えば、ＵＥ１０が非周期的ＮＺＰ  ＣＳＩ‐ＲＳ及び／又は非周期的ＩＭＲを受信した場合、ＵＥ１０は、受信した非周期的ＮＺＰ  ＣＳＩ‐ＲＳ及び／又は非周期的ＩＭＲに基づいて非周期的ＣＳＩ報告を行ってもよい。当該ＣＳＩフィードバックは、ランクインジケータ（ＲＩ）、プリコーディング行列識別子（ＰＭＩ）及びチャネル品質情報（ＣＱＩ）などの既存のＣＳＩを含んでもよい。他の実装形態では、ＣＳＩは、ビーム選択のためのビームインデックス（ＢＩ）など、新たに規定されたＣＳＩを含んでもよい。
【００３５】
（ＣＳＩ‐ＲＳサブフレーム構成２）
本発明の第１の変形例の１つ又は複数の実施形態によれば、ＢＳ２０は、３ＧＰＰ  ＴＳ３６．２１１のテーブル６．１０．５．３−１を変更したものに基づいて、非周期的ＣＳＩ‐ＲＳのリソースを予約することができる（ステップＳ１１Ａ）。例えば、ＢＳ２０は、変更されたテーブルを用いてＣＳＩ‐ＲＳサブフレーム構成のインデックスを指定することができる。図７のステップＳ１２~Ｓ１４は、図６のステップＳ１２~Ｓ１４に対応する。
【００３６】
図８は、第１の変形例の１つ又は複数の実施形態に係る、変更されたテーブルを示す。例えば、図８の変更されたテーブルにおいて、ＣＳＩ‐ＲＳサブフレーム構成ＩＣＳＩ‐ＲＳ（ＣＳＩ‐ＲＳサブフレーム構成）のインデックス１５５、１５６及び１５７を、３ＧＰＰ  ＴＳ３６．２１１にテーブル６．１０．５．３−１として規定された、図４の従来のテーブルに追加してもよい。例えば、ＣＳＩ‐ＲＳサブフレーム構成ＩＣＳＩ‐ＲＳ「１５５」、「１５６」及び「１５７」は、ＣＳＩ‐ＲＳ送信周期「１」及び「２」並びにＣＳＩ‐ＲＳサブフレームオフセット「ＩＣＳＩ‐ＲＳ−１」及び「ＩＣＳＩ‐ＲＳ−２」にそれぞれ関連付けられる。すなわち、ＣＳＩ‐ＲＳサブフレームリソースを高密度で確保する変更されたテーブルは、ＣＳＩ‐ＲＳサブフレームを送信する機会を増加させると考えられる。この変更は、ＣＳＩ‐ＲＳリソースが複数のＵＥで共有され、従来のＣＳＩ‐ＲＳサブフレーム構成と比較して多くのリソースが必要とされる場合にも有益である。これにより、非周期的ＣＳＩ‐ＲＳ送信において、ＢＳ２０が、ＣＳＩ‐ＲＳサブフレーム構成ＩＣＳＩ‐ＲＳ「１５５」を指定してその後ＣＳＩ‐ＲＳサブフレーム構成ＩＣＳＩ‐ＲＳ「１５５」をＵＥ１０に送信する場合、ＵＥ１０は、ＣＳＩ‐ＲＳの送信周期が「１ｍｓ」であることを認識するため、ＢＳ２０から送信されるサブフレームの中からＣＳＩ‐ＲＳを含むサブフレーム（ＣＳＩ‐ＲＳサブフレーム）を特定することができる。一部のインデックス（行）を除いたテーブル６．１０．５．３−１を変更テーブルとして用いて、ＣＳＩ‐ＲＳサブフレームの送信機会を相対的に増やすこともできる。ここで、変更されたテーブルは、従来型の周期的ＣＳＩ‐ＲＳにも適用することができる。
【００３７】
上記変更されたテーブルをＣＳＩ‐ＲＳ送信に用いる場合、物理下り共有チャネル（ＰＤＳＣＨ）のミューティングを１又は２サブフレーム毎に行う必要がある。すなわち、ミューティングサブフレーム構成のデューティサイクル／サブフレームオフセットは、送信周期が１又は２サブフレーム（ｍｓ）のサブフレームを含んでもよい。
【００３８】
（リソース割り当て）
ＢＳ２０は、非周期的ＣＳＩ‐ＲＳを送信する場合、ＢＳ２０は、図３Ａ又は図３Ｂに示すように、テーブル６．１０．５．２−１又は６．１０．５．２−２として規定された従来のテーブル（ＣＳＩ‐ＲＳ構成）に基づいて、ＲＢ内のＲＥの少なくとも一部にマッピングされるＣＳＩ‐ＲＳの位置をサブフレーム毎に決定してもよい。すなわち、１つ又は複数の実施形態に係る非周期的ＣＳＩ‐ＲＳ送信では、ＢＳは、図３Ａ又は図３ＢのＣＳＩ‐ＲＳ構成用のインデックスのうちの１つをＵＥに送信して、ＣＳＩ‐ＲＳ用アンテナポートに割り当てられた２０組のＲＥのどれを使用するかを通知する。
【００３９】
更に、ＢＳ２０は、ＲＲＣシグナリングなどの上位レイヤシグナリングを介して、図３Ａ又は図３ＢのＣＳＩ‐ＲＳ構成のインデックスのうちの１つを送信することができる。ＣＳＩ‐ＲＳ構成のインデックスのうちの１つは、ＣＳＩ‐ＲＳサブフレーム内のＲＢ内のＲＥの少なくとも一部にマッピングされるＣＳＩ‐ＲＳの位置を示すマッピング情報であってもよい。
【００４０】
（第１の変形例）
第１の変形例の１つ又は複数の実施形態によれば、図９に示すように、ＢＳ２０が非周期的ＣＳＩ‐ＲＳ（例えば、＃１−２０）を送信する場合、ＢＳ２０は、非周期的ＣＳＩ‐ＲＳ用のＣＳＩ‐ＲＳ構成及びＣＳＩ‐ＲＳサブフレーム構成（ＣＳＩ−ＲＳ−ＳｕｂｆｒａｍｅＣｏｎｆｉｇ）をそれぞれ決定してもよい。例えば、ＢＳ２０は、非周期的ＣＳＩ‐ＲＳ＃１用のＣＳＩ‐ＲＳ構成インデックス「０」及びＣＳＩ‐ＲＳサブフレーム構成インデックス「０」を決定することができる。ＢＳ２０は、非周期的ＣＳＩ‐ＲＳ＃２用のＣＳＩ‐ＲＳ構成インデックス「１」及びＣＳＩ‐ＲＳサブフレーム構成インデックス「１」を決定してもよい。
【００４１】
第１の変形例の１つ又は複数の実施形態によれば、図１０に示すように、ＢＳ２０が、時間多重された非周期的ＣＳＩ‐ＲＳ（例えば、＃１−２０）を送信する場合、ＢＳ２０は、ＣＳＩ‐ＲＳ構成及びＣＳＩ‐ＲＳサブフレーム構成を共通化するように非周期的ＣＳＩ‐ＲＳのＣＳＩ‐ＲＳ構成及びＣＳＩ‐ＲＳサブフレーム構成（ＣＳＩ−ＲＳ−ＳｕｂｆｒａｍｅＣｏｎｆｉｇ）を決定してもよい。例えば、ＢＳ２０は、非周期的ＣＳＩ‐ＲＳ＃１用のＣＳＩ‐ＲＳ構成インデックス「１」及びＣＳＩ‐ＲＳサブフレーム構成インデックス「１５５」を決定してもよい。ＢＳ２０は、ＣＳＩ‐ＲＳ＃２のＣＳＩ‐ＲＳ構成インデックス「１」及びＣＳＩ‐ＲＳサブフレーム構成インデックス「１５５」を決定してもよい。これにより、ＣＳＩ‐ＲＳリソースの消費を低減することができる。
【００４２】
本発明の第１の態様の他の例の１つ又は複数の実施形態によれば、ＢＳ２０は、非周期的ＣＳＩ‐ＲＳを送信する場合、ＢＳ２０は、ＣＳＩ‐ＲＳサブフレーム構成が共通するように、非周期的ＣＳＩ‐ＲＳに対するＣＳＩ‐ＲＳサブフレーム構成（ＣＳＩ−ＲＳ−ＳｕｂｆｒａｍｅＣｏｎｆｉｇ）を決定してもよい。ＢＳ２０は、ＲＢ内の複数の非周期的ＣＳＩ‐ＲＳのそれぞれについて異なるＣＳＩ‐ＲＳ構成を決定することができる。すなわち、ＢＳ２０は、ＣＳＩ‐ＲＳサブフレームにおいて、複数の非周期的ＣＳＩ‐ＲＳがＲＢ内のＲＥにマッピングされる位置を決定することができる。これにより、ＣＳＩ‐ＲＳリソースの消費を低減することができる。
【００４３】
第１の変形例の１つ又は複数の実施形態によれば、ＢＳ２０は、ＣＳＩ‐ＲＳが非周期的ＣＳＩ‐ＲＳであるか否かを示す情報を、ＲＲＣシグナリンなどの上位レイヤシグナリングを介してＵＥ１０に送信してもよい。当該情報は、ＣＳＩ‐ＲＳ構成及びＣＳＩ‐ＲＳサブフレーム構成の送信に用いられるＲＲＣシグナリングを介して送信してもよいし、当該情報の送信用の別個のＲＲＣシグナリングを介して送信してもよい。
【００４４】
第１の変形例の１つ又は複数の実施形態によれば、ＢＳ２０は、ＣＳＩ‐ＲＳが、非周期的ＣＳＩ‐ＲＳ、ＵＥ固有のＣＳＩ‐ＲＳ若しくはセル固有のＣＳＩ‐ＲＳ、又は周期的なＣＳＩ‐ＲＳであることを示す情報を、ＲＲＣシグナリングなどの上位レイヤシグナリングを介してＵＥ１０に送信してもよい。
【００４５】
第１の変形例の１つ又は複数の実施形態によれば、非周期的ＣＳＩ‐ＲＳの構成は、ＲＲＣ情報（例えば、ＣＳＩ処理、ＣＳＩ‐ＲＳ−Ｃoｎｆｉｇ、ＣＳＩ‐ＲＳ−ＣoｎｆｉｇＮＺＰ、ＣＳＩ‐ＲＳ−ＣoｎｆｉｇＺＰ、又はＣＳＩ‐ＲＳ−ＩｄｅｎｔｉｔｙＮＺＰ）など従来の上位レイヤシグナリングを用いてもよい。
【００４６】
（第１の態様の他の例）
第１の態様の他の例の１つ又は複数の実施形態によれば、ＢＳ２０が非周期的ＣＳＩ‐ＲＳをＵＥ１０に送信する場合、ＵＥ１０は、非周期的ＣＳＩ報告のみを想定してもよい。例えば、図１１に示すように、ＵＥ１０は、「非周期的」に構成されたＣＳＩ‐ＲＳリソースを上位レイヤシグナリングを介して受信する場合（ステップＳ１２Ａ）、周期的ＣＳＩ報告が行われることを想定しなくてもよい。ＵＥ１０は非周期的ＣＳＩ‐ＲＳを受信し（ステップＳ１３Ａ）、非周期的ＣＳＩ報告を行ってもよい（ステップＳ１４Ａ）。したがって、第１の態様の他の例の１つ又は複数の実施形態によれば、ＵＥ１０においてＣＳＩを算出する負荷を低減することができる。
【００４７】
（第２の態様）
以下、本発明の第２の実施形態の実施形態について説明する。第２の態様の１つ又は複数の実施形態によれば、ＢＳ２０は、非周期的ＮＺＰ  ＣＳＩ‐ＲＳ、非周期的ＺＰ  ＣＳＩ‐ＲＳ、又は非周期的ＩＭＲなどの非周期的ＣＳＩ‐ＲＳ（非周期的信号）のリソース（第１のリソース）を予約して、当該予約リソース（第１のリソース）に基づいて選択されるリソース（第２のリソース）を少なくとも示す下り制御情報（ＤＣＩ：Ｄｏｗｎｌｉｎｋ  Ｃｏｎｔｒｏｌ  Ｉｎｆｏｒｍａｔｉｏｎ）を送信することができる。図１２は、第２の態様の１つ又は複数の実施形態に係る非周期的ＣＳＩ‐ＲＳ送信を示すシーケンス図である。
【００４８】
図１２に示すように、ＢＳ２０は、非周期的ＣＳＩ‐ＲＳ（例えば、非周期的ＮＺＰ  ＣＳＩ‐ＲＳ、非周期的ＺＰ  ＣＳＩ‐ＲＳ、又は非周期的ＩＭＲ）を送信するリソース（第１のリソース）を予約することができる（ステップＳ２１）。ステップＳ２１では、例えば、各リソース（第１のリソース）をサブフレーム毎に予約することもできる。言い換えると、ＣＳＩ‐ＲＳ送信の間隔及びＣＳＩ‐ＲＳ送信のタイミングオフセットを示すＣＳＩ‐ＲＳ  ｓｕｂｆｒａｍｅ＿ｃｏｎｆｉｇを参照することなく各リソース（第１のリソース）を予約することができる。例えば、ステップＳ２１において、非周期的ＣＳＩ‐ＲＳ送信用のアンテナポートにマッピングされたＲＥを示す１つ以上の所定のＣＳＩ‐ＲＳ構成を用いてリソース（第１のリソース）を予約してもよい。他の例では、例えば、ステップＳ２１において、非周期的ＣＳＩ‐ＲＳ送信用のアンテナポートを示す情報を含むＤＭ‐ＲＳ構成を用いてリソース（第１のリソース）を予約してもよい。例えば、ステップＳ２１において、ＣＳＩ−Ｐｒｏｃｅｓｓ、ＣＳＩ‐ＲＳ‐Ｃoｎｆｉｇ、ＣＳＩ‐ＲＳ‐ＣoｎｆｉｇＮＺＰ、ＣＳＩ‐ＲＳ‐ＣoｎｆｉｇＺＰ又はＣＳＩ‐ＲＳ‐ＩｄｅｎｔｉｔｙＮＺＰとして設定された情報に基づいてリソース（第１のリソース）を予約してもよい。
【００４９】
そして、ＢＳ２０は、予約したリソースを示す予約情報を、ＲＲＣシグナリングなどの上位レイヤシグナリングを介してＵＥ１０に送信することができる（ステップＳ２２）。ＢＳ２０は、当該予約リソース（第１のリソース）に基づいてＵＥ１０が選択すべきリソース（第２のリソース）を少なくとも示すＤＣＩを、ＵＥ１０に送信することができる（ステップＳ２３）。この場合、ＤＣＩは、予約リソースからの絞り込みに用いる情報だけではなく、アンテナポート数、レイヤ数、スクランブリング、コード分割多重（ＣＤＭ）、及び／又は時間／周波数位置に関する情報など予約情報以外の付加的な情報を示してもよい。ＤＣＩは、下位レイヤシグナリングの一例であってもよい。ＤＣＩはＵＬ（アップリンク）グラントに含まれてもよい。例えば、ＤＣＩは、ＵＥ１０によって選択及び受信される各非周期的ＣＳＩ‐ＲＳに対応するリソースを判別するリソースインデックスを少なくとも含む。例えば、ＤＣＩは、非周期的ＺＰ  ＣＳＩ‐ＲＳの送信の有無を示す情報を含む。
【００５０】
ＢＳ２０は、予約したリソース（第１のリソース）を用いて、非周期的ＣＳＩ‐ＲＳ（例えば、非周期的ＮＺＰ  ＣＳＩ‐ＲＳ、非周期的ＺＰ  ＣＳＩ‐ＲＳ、又は非周期的ＩＭＲ）をＵＥ１０に送信することができる（ステップＳ２４）。例えば、各非周期的ＣＳＩ‐ＲＳ及びＤＣＩを、同一サブフレーム内で多重してもよい。
【００５１】
ＵＥ１０は、予約したリソース（第１のリソース）から、受信したＤＣＩが示すリソース（第２のリソース）を選択し、選択したリソース（第２のリソース）を用いて送信された非周期的ＣＳＩ‐ＲＳを受信することができる（ステップＳ２５）。例えば、ＵＥ１０は、ＤＣＩを受信した場合、選択したリソースを用いて、非周期的ＣＳＩ‐ＲＳのレートマッチング行うことができる。例えば、ＵＥ１０は、非周期ＣＳＩ‐ＲＳがＵＥ１０自身に対するものであるかをＤＣＩに基づいて判断することができる。例えば、ＵＥ１０は、ステップＳ２２で通知されたＲＲＣ構成リソースインデックスと、ステップＳ２３で動的シグナリングによって通知されたリソースインデックスと、を比較することができる。当該比較の結果に基づいて、ＵＥ１０は、非周期的ＣＳＩ‐ＲＳを受信することができる。例えば、ＵＥ１０は、受信した非周期的ＣＳＩ‐ＲＳに基づいてＣＳＩ報告を行ってもよい。
【００５２】
本発明の第２の変形例の１つ又は複数の実施形態によれば、ＢＳ２０が、ＤＣＩなどの下位レイヤシグナリングを介してＣＳＩ‐ＲＳの有無（プレゼンス）に関する情報を送信し、これにより、ＵＥ１０が非周期的ＣＳＩ‐ＲＳを判別することができる。
【００５３】
本発明の第２の変形例の１つ又は複数の実施形態によれば、ＢＳ２０は、ＵＥ１０に対して、当該特定のＵＥがＤＣＩを介して非周期的ＣＳＩ‐ＲＳを受信すべきか否かを通知してもよい。
【００５４】
第２の変形例の１つ又は複数の実施形態によれば、ＢＳ２０は、ＢＳ２０から送信されるサブフレームを受信すべきユーザ装置を示すＩＤを、ＤＣＩなどの下位レイヤシグナリングを介してサブフレーム毎に送信してもよい。
【００５５】
第２の変形例の１つ又は複数の実施形態によれば、ＣＳＩ‐ＲＳに割り当てられた各ＲＥに対して下位レイヤシグナリングを用いてもよい。例えば、３組のＲＥ（例えば、図１の左上部と同一パターン上に「０」及び「１」として示される一組のＲＥ）がＣＳＩ‐ＲＳに割り当てられる場合、ＢＳ２０は、「１１０」のようにビットマップとして示されるＲＥの組ごとにプレゼンス情報を送信してもよい。例えば、プレゼンス情報のインデックス「１」及び「０」は、それぞれ、非周期的ＣＳＩ‐ＲＳの送信が有ること及び無いことを示す。
【００５６】
上記第２の変形例では、例えば、ＢＳ２０は、非周期的ＣＳＩ‐ＲＳの有無の組合せの１つ又は複数の候補をＵＥ１０に通知してもよいし、ＵＥ１０は、当該１つ又は複数の候補を設定してもよいし、当該１つ又は複数の候補をＢＳ２０からの動的シグナリングに応じて切り替えてもよい。更に、ＢＳ２０は、上位レイヤシグナリングのみ又は下位レイヤシグナリングのみを介して１つ又は複数の候補をＵＥ１０に通知してもよい。更に、当該組み合わせは、ＣＳＩ‐ＲＳ送信の有無に限定されず、ＣＳＩ‐ＲＳ用アンテナポート数（又は送信ランク）、ＣＳＩ‐ＲＳ用アンテナポート情報、偏波情報、及びＣＳＩ‐ＲＳリソース（例えば、時間及び／又は周波数位置や符号分割多重（ＣＤＭ）に関する情報を含む多重情報、ＣＳＩ‐ＲＳ密度、スクランブルＩＤなど）を含んでもよい。上記第２の変形例によれば、例えば、ＢＳ２０は、ＺＰ  ＣＳＩ‐ＲＳの存在することを、ＤＭ‐ＲＳのアンテナポート情報を用いて動的に通知してもよい。
【００５７】
第２の変形例の１つ又は複数の実施形態によれば、ＢＳ２０によって設定されるＣＳＩフィードバックトリガは、非周期的ＣＳＩ‐ＲＳの送信のトリガであってもよい。例えば、ＵＥ１０は、ＢＳ２０から非周期的ＣＳＩ‐ＲＳ送信トリガを受信した場合、非周期的ＣＳＩ‐ＲＳ送信トリガの受信から所定のＴＴＩ（Ｔｒａｎｓｍｉｓｓｉｏｎ  Ｔｉｍｅ  Ｉｎｔｅｒｖａｌ）が経過した後に、当該ＣＳＩ‐ＲＳに基づいてＣＳＩ‐ＲＳフィードバックを送信することができる。非周期的ＣＳＩ‐ＲＳ送信のトリガ情報は、ＵＬ（アップリンク）グラントに含まれてもよい。当該トリガ情報は、従来のＣＳＩ要求のビットの全て又は一部を用いてもよいし、従来のＣＳＩ要求に付加された追加ビットを用いてもよい。
【００５８】
第２の変形例の１つ又は複数の実施形態によれば、ＢＳ２０は、ＣＳＩ‐ＲＳ  ＩＤ、プレゼンス情報、ＩＤなどのＣＳＩ‐ＲＳ送信情報を、ＵＥ固有／個別サーチスペース又は共通サーチスペースを用いて送信してもよい。
【００５９】
本発明の第２の変形例の１つ又は複数の実施形態によれば、ＵＥ１０は、ＣＳＩ‐ＲＳ送信情報に基づいてＰＤＳＣＨの送信ＲＥを推定してもよい。例えば、ＵＥ１０は、ＣＳＩ‐ＲＳ送信情報に基づいてレートマッチングを行うことができる。
【００６０】
（第３の態様）
本発明の第３の態様の実施形態について、図１３Ａ及び図１３Ｂを参照して説明する。図１３Ａに示すように、ＢＳ２０が非周期的ＣＳＩ‐ＲＳを送信する場合、非周期的ＣＳＩ‐ＲＳは、異なるプリコーダによってそれぞれ乗算されてもよい。例えば、異なるサブフレームから得られたＣＳＩ‐ＲＳ推定の結果を平均化することはできない。すなわち、トリガされたＤＬ（ダウンリンク）サブフレームのみＣＳＩの計算に用いることができる。
【００６１】
図１３Ｂに示すように、同一のＵＥ１０（図１２のＵＥ１０Ｂ）に向けて送信されるＣＳＩ‐ＲＳは、同一のビーム（ビーム＃４）で乗算してもよい。この場合、サブフレーム間での平均化を可能にすることで、ＣＳＩ推定の精度が向上すると考えられる。
【００６２】
例えば、場合によっては、ＣＳＩ要求を受信した、トリガされたサブフレームを平均化してもよい。すなわち、ＵＥ１０は、複数サブフレームにおいて、同一のプリコーダを用いて乗算が行われると仮定してもよい。これにより、サブフレームの平均化を可能にするインジケータを送信することができる。一例として、ＵＥ１０が過去のサブフレームとの平均化を行うことができるか否かをシグナリングによって示してもよい。これは、ＣＳＩ‐ＲＳトリガフィールド内の同一ビットによって指定することができる。他の例では、平均化の可否を上位レイヤシグナリングによって決定することができる。例えば、割り当てられた非周期的ＣＳＩ‐ＲＳを平均化することができるか否かを示すインジケータを設定することができる。他の例では、ＵＥ１０は、いずれの非周期的ＣＳＩ‐ＲＳも異なるサブフレーム間で平均化できないと仮定してもよい。更に、ＣＳＩ‐ＲＳトリガフィールド中の異なるビットで指定されるサブフレームは平均化できない可能性もある。更に、ＣＳＩ処理及びＮＺＰ  ＣＳＩ‐ＲＳのＲＲＣシグナリングを再設定する場合、平均化を初期化してもよい。
【００６３】
（第４の態様）
本発明の第４の態様の実施形態を以下に説明する。１つ又は複数の実施形態によれば、図１４に示すように、ＵＥ１０Ａがセル間を移動する場合、同一ＵＥ１０に対するＣＳＩ‐ＲＳであっても、適用するビームを変更してもよい。このような場合、サブフレーム間で平均化を行っても正確なＣＳＩが得られないことがある。
【００６４】
したがって、例えば、ＢＳ２０は、適用するプリコーダの変更を示すシグナリングを（ＵＥ１０が平均化を行うことができるか否かに関わらず）動的に送信することができる。更に、ＢＳ２０は、乗算に用いるプリコーダが、過去のサブフレーム又は過去にトリガされたサブフレームで乗算に用いられたプリコーダと同一であるか否かを示すシグナリングを送信してもよい。
【００６５】
他の例では、動的シグナリングを用いる代わりに、リセットのタイミング（例えば、１００ｍｓ）を設定してもよい。例えば、各所定のＴＴＩに平均化を許可しないタイミングを設けることができる。更に、時間長及びタイミングオフセットは、上位レイヤによって設定してもよいし、固定値として規定してもよい。
【００６６】
これらの仮定は、ＰＵＳＣＨに対するＣＳＩフィードバックとＰＵＣＣＨに対するＣＳＩフィードバックとで異なってもよい。例えば、ＰＵＣＣＨベースのフィードバックはＤＣＩトリガを含まないため、平均化の仮定なしに導出することができる。一方、ＰＵＳＣＨベースのフィードバックは平均化を仮定する場合もある。
【００６７】
他の例では、ＦｅＩＣＩＣ（Ｆｕｒｔｈｅｒ  ｅｎｈａｎｃｅｄ  Ｉｎｔｅｒ−Ｃｅｌｌ  Ｉｎｔｅｒｆｅｒｅｎｃｅ  Ｃｏｏｒｄｉｎａｔｉｏｎ）又はＤＬ−ＵＬ  ｅＩＭＴＡ（ｅｎｈａｎｃｅｄ  Ｉｎｔｅｒｆｅｒｅｎｃｅ  Ｍｉｔｉｇａｔｉｏｎ  ａｎｄ  Ｔｒａｆｆｉｃ  Ａｄａｐｔａｔｉｏｎ）を前提として、複数のサブフレームセットを構成することができる。同一ＵＥ１０宛てのＣＳＩ‐ＲＳは、異なるサブフレームセット間で平均化することができない。例えば、サブフレームセットが同一である場合には平均化が可能である。一方で、サブフレームセットが異なる場合には平均化を行えない可能性がある。例えば、平均化についての見込みは、サブフレームセット毎に通知される。又は、平均化の見込みは、サブフレームセット間で共通に通知される。
【００６８】
他の例では、ＣＳＩ‐ＲＳは、システム帯域全体で単一のビームフォーミングを適用することができる。このような場合、ＵＥは、システム全体で同一のプリコーダが乗算に用いられると仮定してもよい。
【００６９】
他の例では、特定の周波数単位で、異なるビームフォーミングをＣＳＩ‐ＲＳに適用してもよい。このような場合、周波数ブロックの平均化は適切でないと考えられる。例えば、所定の周波数ブロック内でのＣＳＩ‐ＲＳ推定結果を平均化してもよい。言い換えれば、同一のプリコーダによって乗算が行われたという仮定に基づいて、ＣＳＩを算出することができる。また、周波数ブロックは、現在規定されているサブバンドと同一であってもよい。例えば、周波数ブロックは、現在規定されているプリコーディングリソースブロックグループ（ＰＲＧ）と同一であってもよい。
【００７０】
この概念（時間／周波数領域における平均化の可否）は、干渉測定において考慮してもよい。ＵＥにおける仮定及び／又はシグナリングは、干渉測定に導入することができる。
【００７１】
（第５の態様）
以下、本発明の第５の態様の実施形態について説明する。上で説明したように、上述の非周期的ＣＳＩ‐ＲＳの態様及び変形例は、非周期的ＺＰ  ＣＳＩ‐ＲＳ及び非周期的ＩＭＲに適用してもよい。
【００７２】
本発明の第５の態様の１つ又は複数の実施形態によれば、例えば、ＺＰ  ＣＳＩ‐ＲＳを、周期的ＺＰ  ＣＳＩ‐ＲＳ又は非周期的ＺＰ  ＣＳＩ‐ＲＳの何れかとして構成してもよい（ＢＳ２０は、ＺＰ  ＣＳＩ‐ＲＳが周期的であるか非周期的であるかを通知してもよい）。他の例では、ＺＰ  ＣＳＩ‐ＲＳを、非周期的ＺＰ  ＣＳＩ‐ＲＳとして別個に構成してもよい（ＢＳ２０は、非周期的ＺＰ  ＣＳＩ‐ＲＳに固有のパラメータを用いて、非周期的ＺＰ  ＣＳＩ‐ＲＳの詳細に関する情報を送信してもよい）。他の例では、ＣＳＩ処理又はＣＳＩリソースは、ＺＰ  ＣＳＩ‐ＲＳが周期的ＺＰ  ＣＳＩ‐ＲＳであるか非周期的ＺＰ  ＣＳＩ‐ＲＳであるか、を示す情報を含んでもよい（ＢＳ２０は、周期的／非周期的ＺＰ  ＣＳＩ‐ＲＳに関する暗示的又は明示的な情報を含むＣＳＩプロセス又はＣＳＩリソースを、ＵＥ１０に送信してもよい）。
【００７３】
本発明の第５の態様の１つ又は複数の実施形態によれば、リソース（ＲＥ）上に多重する又は多重しないＺＰ  ＣＳＩ‐ＲＳを動的に切り替えてもよい。例えば、ＢＳ２０は、ＺＰ  ＣＳＩ‐ＲＳが多重されているか否かを示す情報（ＺＰ  ＣＳＩ‐ＲＳの多重／非多重に関する情報）を含むＤＣＩ（例えば、ＤＬグラント）をＵＥ１０に送信してもよい。ＵＥ１０が、ＺＰ  ＣＳＩ‐ＲＳの多重／非多重に関する情報を含むＤＣＩを受信した場合、ＲＥにＺＰ  ＣＳＩ‐ＲＳが多重されていない場合、ＵＥ１０は、ＰＤＳＣＨ（又は他の物理チャネル/信号）をＲＥに多重してもよいし、或いは、ＲＥにデータを多重して、この仮定に基づいてレートマッチングを行ってもよい。一方、ＵＥ１０は、多重対象／非対象のＺＰ  ＣＳＩ‐ＲＳの情報を含むＤＣＩを受信した場合、ＲＥにＺＰ  ＣＳＩ‐ＲＳが多重されていれば、ＵＥ１０は、ＰＤＳＣＨをＲＥに多重しなくてもよく、ＲＥにデータを多重せずに、この仮定に基づいてレートマッチングを行ってもよい。
【００７４】
他の例として、例えば、ＤＣＩは、ＺＰ  ＣＳＩ‐ＲＳが多重されているか否か以外の情報を含んでもよい。例えば、ＺＰ  ＣＳＩ‐ＲＳ  ＲＥに関する情報、ＺＰ  ＣＳＩ‐ＲＳのアンテナポート数などがＤＣＩに含まれてもよい。
【００７５】
他の例では、例えば、多重対象／非対象のＺＰ  ＣＳＩ‐ＲＳの切り替え及び／又は他の動的切り替えに、上位レイヤシグナリングを用いてもよい。例えば、ＢＳ２０が、上位レイヤシグナリングを介して、複数のＲＥ（ＺＰ  ＣＳＩ‐ＲＳリソース）上で多重対象／非対象のＺＰ  ＣＳＩ‐ＲＳのセットをＵＥ１０に送信し、次いで、ＵＥ１０が、ＢＳ２０からのＤＣＩに基づいて、多重対象／非対象のＺＰ  ＣＳＩ‐ＲＳを切り替えてもよい。
【００７６】
他の例では、例えば、ＺＰ  ＣＳＩ‐ＲＳの制御を、ＮＺＰ  ＣＳＩ‐ＲＳの制御と共に行ってもよい。例えば、ＢＳ２０が、多重対象／非対象のＺＰ  ＣＳＩ‐ＲＳ及びＮＺＰ  ＣＳＩ‐ＲＳの情報を上位レイヤシグナリングを介して送信し、次いで、ＵＥ１０が、ＢＳ２０からのＤＣＩに基づいて、多重対象／非対象のＺＰ  ＣＳＩ‐ＲＳ及びＮＺＰ  ＣＳＩ‐ＲＳを動的に切り替えてもよい。
【００７７】
本発明の第５の態様の１つ又は複数の実施形態によれば、図１５のＣＳＩ計算方式に示すように、ＵＥ１０は、周期的／非周期的ＮＺＰ  ＣＳＩ‐ＲＳと周期的／非周期的ＺＰ  ＣＳＩ‐ＲＳ（ＩＭＲ）とを組み合わせてＣＳＩを算出することができる。図１５のテーブルにおいて、ＣＳＩ計算に用いられる「周期的ＮＺＰ  ＣＳＩ‐ＲＳと周期的ＺＰ  ＣＳＩ‐ＲＳ」、「周期的ＮＺＰ  ＣＳＩ‐ＲＳと非周期的ＺＰ  ＣＳＩ‐ＲＳ」、「非周期的ＮＺＰ  ＣＳＩ‐ＲＳと周期的ＺＰ  ＣＳＩ‐ＲＳ」、及び「非周期的ＮＺＰ  ＣＳＩ‐ＲＳと非周期的ＺＰ  ＣＳＩ‐ＲＳ」の組み合わせは、「Ａｌｔ．１Ａ」、「Ａｌｔ．１Ｂ」、「Ａｌｔ．２Ａ」、及び「Ａｌｔ．２Ｂ」と表わされる。更に、ＣＳＩ処理／ＣＳＩリソースは、周期的ＮＺＰ  ＣＳＩ‐ＲＳ又は非周期的ＮＺＰ  ＣＳＩ‐ＲＳのいずれかを含んでもよい。更に、ＣＳＩ処理／ＣＳＩリソースは、周期的ＺＰ  ＣＳＩ‐ＲＳ（ＩＭＲ）又は非周期的ＮＺＰ  ＣＳＩ‐ＲＳ（ＩＭＲ）のいずれかを含んでもよい。
【００７８】
（第６の態様）
以下、本発明の第６態様の実施形態について説明する。本発明の第６の態様の１つ又は複数の実施形態によれば、図１６に示すテーブル中の「Ａｌｔ．４Ａ」及び「Ａｌｔ．４Ｂ」のように、ＵＥ１０は、非周期的ＮＺＰ  ＣＳＩ‐ＲＳ及び非周期的ＺＰ  ＣＳＩ‐ＲＳに基づいて、周期的及び非周期的ＣＳＩ報告を行うことができる。従来のＬＴＥ規格は、「Ａｌｔ．３Ａ」及び「Ａｌｔ．３Ｂ」のＣＳＩ報告方式に対応している。
【００７９】
本発明の第６の実施形態の１つ又は複数の実施形態によれば、ＵＥ１０がＢＳ２０からの非周期的ＣＳＩ‐ＲＳに基づいて非周期的ＣＳＩ報告を行う場合（図１６の「Ａｌｔ．４Ｂ」）、ＵＥ１０は、ＣＳＩ報告をトリガするＣＳＩ要求がＢＳ２０からＵＥ１０で受信されるまで、ＣＳＩを算出する必要はない（言い換えれば、ＵＥ１０は、ＣＳＩ要求の受信時にＣＳＩを算出してもよい）。この結果、ＢＳ２０に報告されることのないＣＳＩをＵＥ１０が算出する負荷を低減することができる。
【００８０】
例えば、サブフレームｌは、ＣＳＩ要求（又は、非周期的ＮＺＰ  ＣＳＩ‐ＲＳ及び／又は非周期的ＺＰ  ＣＳＩ‐ＲＳが送信されることを示すトリガ）が送信されるサブフレーム（又はＣＳＩ報告がトリガされるサブフレーム）である。
【００８１】
更に、例えば、サブフレームｌでＣＳＩ要求が送信される場合、ＵＥ１０は、非周期的ＣＳＩ‐ＲＳリソースが予約されたサブフレームｌ後の最初（又は同一）のサブフレームに非周期的ＣＳＩ‐ＲＳが多重されていると仮定してもよい。その後、ＵＥ１０は、サブフレームｌ後に非周期的ＣＳＩ‐ＲＳを送信する最先のサブフレームに基づいてＣＳＩを算出することができる。
【００８２】
更に、例えば、サブフレームｌにおいてＣＳＩ要求が送信される場合、ＵＥ１０は、サブフレームｌ＋ｋに非周期的ＣＳＩ‐ＲＳ（サブフレームｌ＋ｋにおいて非周期的ＣＳＩ‐ＲＳリソースがＯＮである）が含まれると仮定してもよい。その後、ＵＥ１０は、サブフレームｌ＋ｋに基づいてＣＳＩを算出してもよい。ｋは、ＣＳＩ要求と非周期的ＣＳＩ‐ＲＳとの間のタイミングオフセットを示す。例えば、ｋは定数であってもよい。例えば、ｋは、ＲＲＣシグナリング又はＤＣＩなどの上位レイヤシグナリングによって設定されるパラメータであってもよい。例えば、ｋはゼロであってもよい。
【００８３】
また、本発明の第６の実施形態の１つ又は複数の実施形態に係る非周期的ＣＳＩ‐ＲＳに基づくＣＳＩ報告方式は、ＣＳＩ‐ＲＳ（ＮＺＰ  ＣＳＩ‐ＲＳ）だけでなく、ＺＰ  ＣＳＩ‐ＲＳ（ＩＭＲ）にも適用することができる。更に、時間オフセットｋは、ＣＳＩ‐ＲＳ（ＮＺＰ  ＣＳＩ‐ＲＳ）及びＺＰ  ＣＳＩ‐ＲＳ（ＩＭＲ）から独立して設定してもよい。
【００８４】
（第７の態様）
以下、本発明の第７の態様の実施形態について説明する。本発明の第７の態様の１つ又は複数の実施形態では、サブフレームｍ及びｎは、非周期的ＣＳＩ‐ＲＳを送信するサブフレーム及びＣＳＩフィードバックを送信するサブフレームをそれぞれ示す。上記のように、サブフレームｌは、ＣＳＩ要求を送信するサブフレームである。手順の一例として、まず、ＵＥ１０は、ＣＳＩ報告をトリガするＣＳＩ要求を受信し、その後、ＵＥ１０は、非周期的ＣＳＩ‐ＲＳを受信し、最後にＣＳＩフィードバックを送信する（ＣＳＩ報告を行う）。したがって、サブフレームｎはサブフレームｍより大きく（又は等しく）、サブフレームｍはサブフレームｌより大きい（又は等しい）（ｎ＞ｍ＞ｌ）。しかしながら、本発明はこの場合に限定されない。例えば、サブフレームｎはサブフレームｌより大きくてもよく、サブフレームｌはサブフレームｍより大きくてもよい（ｎ＞ｌ＞ｍ）。
【００８５】
更に、従来のＬＴＥ規格は、ＣＳＩ要求の受信後に一定期間が経過した場合に、ＵＥ１０がＣＳＩフィードバックを送信するようにＣＳＩフィードバックタイミングを規定する。図１７に示すように、例えば、ＵＥ１０は、ＣＳＩ要求（ＣＳＩ要求＃１及び＃２）の受信から一定期間（例えば、３サブフレーム）経過後にＣＳＩフィードバックを送信することができる。非周期的ＣＳＩ‐ＲＳは、ＣＳＩフィードバック＃２のＣＳＩフィードバックタイミングに続いて受信してもよい。すなわち、サブフレームｍはサブフレームｎより大きくてもよいし、サブフレームｎはサブフレームｌより大きくてもよい（例えば、ｍ＞ｎ＞ｌ）。この結果、ＣＳＩフィードバック＃２などのＣＳＩフィードバックとして何を報告するかをＵＥ１０が決定することができず、ＣＳＩ報告が正常に行われないおそれがある。
【００８６】
本発明の第７の態様の１つ又は複数の実施形態によれば、図１８Ａに示すように、ＵＥ１０における非周期的ＣＳＩ‐ＲＳの受信時間に対する相対的な時間値（例えば、２サブフレーム）を、ＣＳＩフィードバックタイミングとして決定してもよい。したがって、ＵＥ１０は、非周期的ＣＳＩ‐ＲＳがＵＥ１０において受信されてから相対的な時間（所定の期間）が経過した後、ＣＳＩフィードバックをＢＳ２０に送信してもよい（ＣＳＩを算出してもよい）。言い換えれば、ＵＥ１０は、非周期的ＣＳＩ‐ＲＳを受信するまでＣＳＩフィードバックを送信しなくてもよい。例えば、相対的な時間値は、ＬＴＥ規格に一意に定義されたものであってもよい。ＢＳ２０は、例えばＲＲＣシグナリングなどの上位レイヤシグナリングを介して相対的な時間値を送信してもよい。例えば、相対的な時間値は、ＤＣＩを用いて動的に切り替えることができる。
【００８７】
上述の例では、ＣＳＩ報告のタイミングが特定のサブフレームに集中するおそれがある。例えば、相対的な時間値を２サブフレームとした場合、ＣＳＩ報告がサブフレームｌ＋２に集中することが考えられる。このようなＣＳＩ報告のバーストを回避するために、ＵＥ固有のオフセット値をＣＳＩ報告のタイミングとして設定してもよいし、相対的な時間値にＵＥ固有の値を用いてもよい。例えば、ＵＥ固有のオフセット値及びＵＥ固有の相対的な時間値は、ＵＥ  ＩＤなどのＵＥ固有のＩＤに基づいて導出してもよい。例えば、ＵＥ固有のオフセット値及びＵＥ固有の相対的な時間値は、ＲＲＣシグナリングを介してＵＥ１０に送信してもよいし、ＤＣＩを用いてＵＥ１０に通知してもよい。
【００８８】
更に、例えば、図１８Ａの変形例において、ＣＳＩ報告をトリガする相対的な時間は、非周期的ＣＳＩ‐ＲＳの受信時間に対する相対的な時間に限定されず、ＵＥ１０がＩＭＲに基づいて干渉測定を行うタイミングに対する相対的な時間であってもよいし、非周期的ＣＳＩ‐ＲＳの受信時間又はＵＥ１０がＩＭＲに基づいて干渉測定を行うタイミングの早い方もしくは遅い方に対する相対的な時間であってもよい。
【００８９】
本発明の第７の態様の他の例の１つ又は複数の実施形態によれば、図１８Ｂに示すように、サブフレームｍがサブフレームｎよりも大きく、サブフレームｎがサブフレームｌよりも大きく（ｍ＞ｎ＞ｌ）、かつＵＥ１０においてエラーが発生した場合、すなわち、ＵＥ１０が、ＣＳＩ‐ＲＳを受信する前にＣＳＩを報告しなければならない場合、ＵＥ１０は、前回と同じＣＳＩフィードバックを送信することができる。例えば、図１８Ｂにおいて、ＣＳＩ要求＃２を受信した後において、ＣＳＩ計算（非周期的ＣＳＩ‐ＲＳの受信）の前に一定期間（例えば、３サブフレーム）が経過した場合、ＵＥ１０は、最後のＣＳＩフィードバックと同じＣＳＩフィードバック＃１を送信してもよい。この結果、ＣＳＩ報告の手順が逆転する（ｍ＞ｎ＞ｌ）ことによって起きるエラーを避けることができないおそれがある。
【００９０】
更に、例えば、図１８Ｂの変形例において、サブフレームｍがサブフレームｎより大きく、かつサブフレームｎがサブフレームｌ（ｍ＞ｎ＞ｌ）より大きい場合、ＵＥ１０は、ＵＥ１０の有する最新のＣＳＩに基づいてＣＳＩを算出してもよい。例えば、ＮＺＰ  ＣＳＩ‐ＲＳ又はＺＰ  ＣＳＩ‐ＲＳ（ＩＭＲ）を更新可能な場合、ＵＥ１０は、更新後のＮＺＰ  ＣＳＩ‐ＲＳ又はＺＰ  ＣＳＩ‐ＲＳ（ＩＭＲ）に基づいてＣＳＩを再算出することができる。
【００９１】
更に、例えば、図１８Ｂの変形例として、ＵＥ１０は、ＣＳＩ報告の手順が逆転する（ｍ＞ｎ＞ｌ）ことによって起きるエラーを示す情報（エラーフラグ）をＢＳ２０に通知してもよい。更に、報告されるＣＳＩはＬＴＥ規格に規定されていなくてもよい。
【００９２】
本発明の第７の態様の他の例の１つ又は複数の実施形態によれば、上述したように、ＵＥ１０は、従来のＬＴＥ規格に準拠するＣＳＩ報告手順に従って、ＣＳＩ要求を受信してから一定期間経過後にＣＳＩフィードバックを送信することができる。また、図１８Ｃに示すように、本発明の第７の態様の他の例の１つ又は複数の実施形態において、ＵＥ１０は、ＢＳ２０にＣＳＩをフィードバックする前に、所定の第２の期間以外のサブフレームにおいて非周期的ＣＳＩ‐ＲＳ（ＮＺＰ  ＣＳＩ−ＲＳ、及び／又はＺＰ  ＣＳＩ‐ＲＳ（ＩＭＲ））に基づいてＣＳＩを算出してもよい。すなわち、非周期的ＣＳＩ‐ＲＳがＣＳＩ計算の対象期間内に送信される場合、ＵＥ１０は、ＣＳＩを算出してＣＳＩ‐ＲＳフィードバックを送信することができる。ＵＥ１０がＣＳＩを算出するのに要する処理時間によっては、ＵＥ１０は、所定の第２の期間において非周期的ＣＳＩ‐ＲＳに基づいてＣＳＩを算出しないことも可能である。
【００９３】
本発明の第７の態様の他の例の１つ又は複数の実施形態によれば、上述したように、ＵＥ１０は、従来のＬＴＥ規格に準拠するＣＳＩ報告手順に従って、ＣＳＩ要求を受信してから一定期間経過後にＣＳＩフィードバックを送信することができる。また、図１８Ｄに示すように、本発明の第７の態様の他の例の１つ又は複数の実施形態によれば、ＵＥ１０は、ＣＳＩ要求を受信した場合、ＣＳＩ計算の対象期間である所定の第１の期間において非周期的ＣＳＩ‐ＲＳ（ＮＺＰ  ＣＳＩ‐ＲＳ及び／又はＺＰ  ＣＳＩ‐ＲＳ（ＩＭＲ））に基づいてＣＳＩを算出して、ＣＳＩフィードバックをＢＳ２０に送信してもよい。当該所定の第１の期間とは、ＵＥ１０がＣＳＩ要求を受信してから所定の期間（１つ又は複数のサブフレーム）である。一方で、上記一定期間及び所定の第１の期間以外の期間にＣＳＩ要求を受信した場合、ＵＥ１０は、ＵＥ１０がＣＳＩの算出に要する処理時間によっては、ＵＥ１０はＣＳＩを算出しなくてもよい。
【００９４】
また、例えば、図１８Ｃ及び１８Ｄの変形例として、図２０Ｃ及び図２０Ｄに示すＣＳＩ報告方式を互いに組み合わせてもよい。更に、例えば、1つ又は複数のオフセット値（第１の所定の期間及び第２の所定の期間）は、上位レイヤシグナリング及び／又は下位レイヤシグナリングを介してＢＳ２０からＵＥ１０に送信してもよい。
【００９５】
（基地局の構成）
以下、図１９を参照して、本発明の１つ又は複数の実施形態に係るＢＳ２０について説明する。
【００９６】
図１９に示すように、ＢＳ２０は、３Ｄ  ＭＩＭＯ用アンテナ２１と、ＲＦ（Ｒａｄｉｏ  Ｆｒｅｑｕｅｎｃｙ）回路２２と、ＣＳＩ‐ＲＳスケジューラ２３と、ＣＳ‐ＲＳジェネレータ２４と、プリコーダ２５と、マルチプレクサ２６とを備える。ＲＦ回路２２は、トランスミッタ（ＴＸＲＵ）２２１とレシーバ２２２とを含む。
【００９７】
アンテナ２１は、複数のアンテナ素子を有する多次元アンテナから構成されてもよく、２Ｄアンテナ（平面アンテナ）、円柱状に配置されたアンテナや立方体状に配置されたアンテナを含む３Ｄアンテナなどが含まれる。アンテナ２１は、１つ以上のアンテナ素子を有するアンテナポートを含む。各アンテナポートから送信されたビームは、ＵＥ１０と３Ｄ  ＭＩＭＯ通信を行うように制御される。
【００９８】
アンテナ２１によって、線形アレイアンテナを用いる場合と比較してアンテナの素子数を容易に増加させることができる。多数のアンテナ素子を利用するＭＩＭＯ伝送においては、システム性能をさらに改善することが求められる。例えば、３Ｄビームフォーミングでは、アンテナ数の増加に応じた高いビームフォーミング利得が期待される。更に、ＭＩＭＯ伝送は、例えばビームのヌル点を制御するなど干渉低減の面においても有利であり、マルチユーザＭＩＭＯにおいてユーザ間の干渉を除去するなどの効果が期待できる。
【００９９】
ＲＦ回路２２は、アンテナ２１への入力信号を生成し、アンテナ２１からの出力信号の受信処理を行う。
【０１００】
ＲＦ回路２２のトランスミッタ２２１は、アンテナ２１を介してＵＥ１０にデータ信号（例えば、参照信号や、プリコーディングされたデータ信号）を送信する。トランスミッタ２２１は、決定したＣＳＩ‐ＲＳリソースの状態を示すＣＳＩ‐ＲＳリソース情報（例えば、サブフレーム構成ＩＤ及びマッピング情報）を、上位レイヤシグナリング又は下位レイヤシグナリングを介してＵＥ２０に送信する。トランスミッタ２２１は、決定されたＣＳＩ‐ＲＳリソースに割り当てられたＣＳＩ‐ＲＳをＵＥ１０に送信する。
【０１０１】
ＲＦ回路２２に含まれるレシーバ２２２は、ＵＥ１０からアンテナ２１を介してデータ信号（例えば、参照信号及びＣＳＩフィードバック情報）を受信する。
【０１０２】
ＣＳＩ‐ＲＳスケジューラ２３は、ＣＳＩ‐ＲＳに割り当てられるＣＳＩ‐ＲＳリソースを決定する。例えば、ＣＳＩ‐ＲＳスケジューラ２３は、サブフレームの中から、ＣＳＩ‐ＲＳを含むＣＳＩ‐ＲＳサブフレームを判別する。更に、ＣＳＩ‐ＲＳスケジューラ２３は、少なくともＣＳＩ‐ＲＳにマッピングされたＲＥを決定する。
【０１０３】
ＣＳＩ‐ＲＳジェネレータ２４は、下りチャネル状態を推定するためのＣＳＩ‐ＲＳを生成する。ＣＳＩ‐ＲＳジェネレータ２４は、ＣＳＩ‐ＲＳに加えて、ＬＴＥ規格で規定される参照信号、個別参照信号（ＤＲＳ）、セル固有参照信号（ＣＲＳ）、プライマリ同期信号（ＰＳＳ）及びセカンダリ同期信号（ＳＳＳ）などの同期信号、並びに別途規定された参照信号を生成してもよい。
【０１０４】
プリコーダ２５は、下りデータ信号及び下り参照信号に適用するプリコーダを決定する。プリコーダは、プリコーディングベクトル、又はより一般的にはプリコーディング行列と呼ばれる。プリコーダ２５は、推定された下りリンクのチャネル状態を示すＣＳＩと、入力された復号ＣＳＩフィードバック情報とに基づいて、下りリンクのプリコーディングベクトル（プリコーディング行列）を決定する。
【０１０５】
マルチプレクサ２６は、ＣＳＩ‐ＲＳスケジューラ２３によって決定されたＣＳＩ‐ＲＳリソースに基づいて、ＣＳＩ‐ＲＳをＲＥに多重する。
【０１０６】
送信される参照信号は、セル固有の参照信号又はＵＥ固有の参照信号であってよい。例えば、参照信号は、ＰＤＳＣＨなどのＵＥ固有信号に多重してプリコーディングしてもよい。参照信号の送信ランクをＵＥ１０に通知することで、チャネル状態推定をチャネル状態に応じた適切なランクで実行することができる。
【０１０７】
（ユーザ装置の構成）
以下、図２０を参照して、本発明の１つ又は複数の実施形態に係るＵＥ１０について説明する。
【０１０８】
図２０に示すように、ＵＥ１０は、ＢＳ２０と通信を行うためのＵＥアンテナ１１と、ＲＦ回路１２と、デマルチプレクサ１３と、チャネル推定器１４と、ＣＳＩフィードバックコントローラ１５と、ＣＳＩ‐ＲＳコントローラ１６とを備えてよい。ＲＦ回路１２は、トランスミッタ１２１とレシーバ１２２を含む。
【０１０９】
ＲＦ回路１２に含まれるトランスミッタ１２１は、ＵＥアンテナ１１を介してＢＳ２０にデータ信号（例えば、参照信号やＣＳＩフィードバック情報）を送信する。
【０１１０】
ＲＦ回路１２のレシーバ１２２は、ＢＳ２０からＵＥアンテナ１１を介してデータ信号（例えば、ＣＳＩ‐ＲＳなどの参照信号）を受信する。
【０１１１】
デマルチプレクサ１３は、ＢＳ２０から受信した信号からＰＤＣＣＨ信号を分離する。
【０１１２】
チャネル推定器１４は、ＢＳ２０から送信されたＣＳＩ‐ＲＳに基づいて下りチャネル状態を推定し、ＣＳＩフィードバックコントローラ１５へ出力する。
【０１１３】
ＣＳＩフィードバックコントローラ１５は、下りチャネル状態推定用の参照信号を用いて推定した下りチャネル状態に基づいてＣＳＩフィードバック情報を生成する。ＣＳＩフィードバックコントローラ１５は、生成したＣＳＩフィードバック情報をトランスミッタ１２１に出力し、トランスミッタ１２１は、当該ＣＳＩフィードバック情報をＢＳ２０に送信する。ＣＳＩフィードバック情報は、ＲＩ（ランクインジケータ）、ＰＭＩ、ＣＱＩ、ＢＩなどのうち少なくとも１つを含んでよい。
【０１１４】
ＢＳ２０からＣＳＩ‐ＲＳが送信された場合、ＣＳＩ‐ＲＳコントローラ１６は、ＣＳＩ‐ＲＳリソース情報に基づいて、自装置が特定のユーザ装置であるか否かを判断する。ＣＳＩ‐ＲＳコントローラ１６は、自装置が特定のユーザ装置であると判断した場合、ＣＳＩ‐ＲＳに基づくＣＳＩフィードバックをＢＳ２０に送信する。
【０１１５】
（他の態様）
本発明の１つ又は複数の実施形態では無線通信システム１が３Ｄ  ＭＩＭＯシステムである例を説明するが、本発明はこれに限定されない。本発明における無線通信システムは２Ｄ  ＭＩＭＯシステムであってもよい。
【０１１６】
上記の態様及び変形例は互いに組み合わせてもよく、これらの態様の各種特徴は様々なパターンで組み合わせることが可能である。本発明は、本明細書に開示される特定の組み合わせに限定されない。
【０１１７】
本発明の１つ又は複数の実施形態に係る非周期的ＣＳＩ‐ＲＳは、単一のＵＥ１０又は複数のＵＥ１０に送信されてもよい。
【０１１８】
本発明の１つ又は複数の実施形態では、ＣＳＩ‐ＲＳがＣＳＩ‐ＲＳである例を説明するが、本発明はこれに限定されない。本発明は、ＣＳＩ‐ＲＳに適用することができるが、ビームフォーミングされたＣＳＩ‐ＲＳには適用することができない。
【０１１９】
本発明の１つ又は複数の実施形態では、ＢＳ２０が平面アンテナを備える例を説明するが、本発明はこれに限定されない。本発明において、ＢＳ２０は、１次元アンテナ又は所定の３次元アンテナを備えてもよい。
【０１２０】
本発明の１つ又は複数の実施形態では、ＣＳＩ‐ＲＳ（ＮＺＰ  ＣＳＩ‐ＲＳ）にこれらの態様の様々な技術を適用する複数の例を説明するが、本発明はこれらの例に限定されるものではない。本発明は、ＣＳＩ‐ＲＳ（ＮＺＰ  ＣＳＩ‐ＲＳ）だけでなく、ＺＰ  ＣＳＩ‐ＲＳにも適用が可能である。
【０１２１】
本開示においては一定数の実施形態のみが説明されたが、本開示の利益を享受する当業者であれば、本発明の範囲から逸脱することなく様々な他の実施形態が可能であることを理解することができる。したがって、本発明の範囲は、添付の特許請求の範囲によってのみ限定されるものである。
【符号の説明】
【０１２２】
１  無線通信システム
１０  ユーザ装置（ＵＥ）
１１  ＵＥアンテナ
１２  ＲＦ回路
１２１  トランスミッタ
１２２  レシーバ
１３  デマルチプレクサ
１４  チャネル推定器
１５  ＣＳＩフィードバックコントローラ
１６  ＣＳＩ‐ＲＳコントローラ
２０  基地局（ＢＳ）
２１  アンテナ
２２  ＲＦ回路
２２１  トランスミッタ
２２２  レシーバ
２３  ＣＳＩ‐ＲＳスケジューラ
２４  ＣＳＩ‐ＲＳジェネレータ
２５  プリコーダ
２６  マルチプレクサ
【図１】
2019516291.tif 000003
【図２】
2019516291.tif 000004
【図３Ａ】
2019516291.tif 000005
【図３Ｂ】
2019516291.tif 000006
【図４】
2019516291.tif 000007
【図５】
2019516291.tif 000008
【図６】
2019516291.tif 000009
【図７】
2019516291.tif 000010
【図８】
2019516291.tif 000011
【図９】
2019516291.tif 000012
【図１０】
2019516291.tif 000013
【図１１】
2019516291.tif 000014
【図１２】
2019516291.tif 000015
【図１３Ａ】
2019516291.tif 000016
【図１３Ｂ】
2019516291.tif 000017
【図１４】
2019516291.tif 000018
【図１５】
2019516291.tif 000019
【図１６】
2019516291.tif 000020
【図１７】
2019516291.tif 000021
【図１８Ａ】
2019516291.tif 000022
【図１８Ｂ】
2019516291.tif 000023
【図１８Ｃ】
2019516291.tif 000024
【図１８Ｄ】
2019516291.tif 000025
【図１９】
2019516291.tif 000026
【図２０】
2019516291.tif 000027
【国際調査報告】
2019516291.tif 000028
2019516291.tif 000029
2019516291.tif 000030